(57)【要約】【課題】管理装置により在庫情報の管理及び入出庫対象の物品の特定を行うとともに作業者用端末の表示手段に該物品の物品情報及び位置情報を表示し、該表示に基づいて作業者が入出庫を行う入出庫管理システムにおいて、作業者が任意の同一物品を出庫することができ、出庫作業を効率的に行うことができる倉庫の入出庫管理システムを提供することを目的とする。【解決手段】作業者用端末に設けた位置情報入力手段と、管理装置に設けた、上記位置情報入力手段から入力される位置情報に対応する物品情報と上記出庫対象の物品情報を比較する比較手段と、作業者用端末に設けた、上記比較手段での比較結果を表示する上記表示手段と、を備えた構成とする。【選択図】　図１
2004091148.tif 000002
【特許請求の範囲】
【請求項１】
管理装置により在庫情報の管理及び入出庫対象の物品の特定を行うとともに作業者用端末の表示手段に該物品の物品情報及び位置情報を表示し、該表示に基づいて作業者が入出庫を行う入出庫管理システムにおいて、
作業者用端末に設けた位置情報入力手段と、
管理装置に設けた、上記位置情報入力手段から入力される位置情報に対応する物品情報と上記出庫対象の物品情報を比較する比較手段と、
作業者用端末に設けた、上記比較手段での比較結果を表示する上記表示手段と、を備えたことを特徴とする倉庫管理システム。
【発明の詳細な説明】
【０００１】
【発明の属する技術分野】
本発明は、倉庫の入出庫管理システムに関し、特に、１品種で大量の物品が倉庫に保管されている場合に効率の良い出庫管理を行う入出庫管理システムに関する。
【０００２】
【従来の技術】
管理装置（例えばパーソナル・コンピュータ）により入出庫管理が行われている倉庫では「品名」「品番」「数量」「収納位置」「ロット番号」等が在庫情報として管理装置に記憶されている。例えば、出庫を行う場合、管理装置に「品番」「出庫数」を入力すると、該管理装置は上記在庫情報に基づいて出庫対象物品を特定し、該出庫対象物品に対応する「収納位置」「ロット番号」等の情報を上記在庫情報から読み出す。そして、該出庫対象物品の「品番」「ロット番号」「出庫数」等の物品情報と「収納位置」の示す位置情報が、管理装置にネットワークを介して接続された作業者用端末へ伝達される。該作業者用端末の表示手段には、上記のように管理装置から伝達された物品情報及び位置情報が表示され、作業者は表示された位置情報に基づき出庫作業を行うことになる。なお、上記作業用端末は、作業者が携帯して使用する、または、物品の入出庫を行う搬送車に搭載して使用するため、ネットワークと無線で接続されているのが一般的である。
【０００３】
作業者は、物品を出庫する際に作業者用端末に出庫位置情報を入力する。出庫位置情報の入力は、倉庫内の各収納位置に位置情報を記録したバーコードを設け、作業者用端末に付属のバーコードリーダで読み取ることで行う。該出庫位置情報と管理装置が特定した物品の位置情報が、管理装置または作業者用端末において比較され、一致しない場合は誤作業であることが作業者用端末に表示される。
【０００４】
一般に、上記の入出庫管理システムにて大量の同一物品を管理する場合には、列を１グループとして「収納位置」を設定し管理することが多い。すなわち、図５に示すように、同一物品を複数列にわたり配置し、「収納位置」として「０３列」「０４列」「０５列」のように列を設定する。また、出庫後に物品の配置位置が分散した場合などには、物品の配置替えを行い一塊の列となるようにする。
【０００５】
【発明が解決しようとする課題】
しかし、上記のような従来の入出庫管理システムでは、出庫対象物品の位置に至るまでの搬送車の経路で別の作業者が作業を行っている場合等には、管理装置が特定した出庫対象物品の出庫作業を直ちに行うことができない。仮に、同一物品が隣の列にあり、出庫作業を直ちに行うことができる位置にある場合でも、管理装置が特定した位置と異なる位置の物品であることを理由に誤作業と認識されるため、同一物品を代用として出庫作業を行うことができず、作業効率を低下させることになる。また、管理装置の特定した物品以外の物品を出庫した方が、出庫後の配置換えが短時間で行える等の理由で効率的である場合でも、管理装置が特定した物品を出庫する必要があり、作業者の意欲が低下することになる。上記問題は、作業者が一時的に指令を無視して同一物品を出庫し、事後に在庫修正または物品の位置替えを行うことで回避することもできるが、作業者の記憶を頼りとするため正確さに欠けることになる上、管理システム自体が無意味である。
【０００６】
本発明は、上記従来の事情に基づいて提案されたものであって、作業者が任意の同一物品を出庫することができ、出庫作業を効率的に行うことができる倉庫の入出庫管理システムを提供することを目的とする。
【０００７】
【課題を解決するための手段】
本発明は、管理装置により在庫情報の管理及び入出庫対象の物品の特定を行うとともに作業者用端末の表示手段に該物品の物品情報及び位置情報を表示し、該表示に基づいて作業者が入出庫を行う入出庫管理システムを前提としている。
【０００８】
本発明は、上記目的を達成するために以下の手段を採用している。すなわち、本発明の入出庫管理システムは、作業者用端末に設けた位置情報入力手段と、管理装置に設けた上記位置情報入力手段から入力される位置情報に対応する物品情報と上記出庫対象の物品情報を比較する比較手段と、作業者用端末に設けた上記比較手段での比較結果を表示する上記表示手段とを備える構成とする。
【０００９】
上記の構成により、出庫作業を行う作業者は、管理装置が特定した出庫対象物品を直ちに出庫することができない状態にあるときに、該出庫対象物品の位置以外の位置にある同一物品を出庫することが可能となる。すなわち、作業者が同一物品の位置情報を上記位置情報入力手段から入力すると、該位置情報は管理装置に伝達され、管理装置に記憶されている在庫情報から該位置情報に対応する物品情報が読み出される。そして、該物品情報は上記比較手段において、管理装置が特定した出庫対象物品の物品情報と比較され、同一物品であるか否かの結果が上記作業者用端末の表示手段に表示される。比較の結果が同一物品であれば作業者は同一物品を出庫し、管理装置は該同一物品が出庫されたことを在庫情報に記憶する。
【００１０】
したがって、上記構成によれば、管理装置が特定した出庫対象物品を直ちに出庫することができない状態にあるときでも、作業者は同一物品を代用として直ちに出庫作業を行うことができ、出庫作業を効率的に行うことができる。特に、倉庫内で列を１グループとして物品を管理し、同一物品が複数列にわたり配置されているときには、任意の列から物品を出庫することが可能となり、出庫作業を効率的に行うことができる。
【００１１】
なお、本明細書にて、「同一物品」とは同一ロットである等の理由により入出庫管理をする上で区別をしない物品を指す。
【００１２】
【発明の実施の形態】
以下、本発明の実施の形態を図面にしたがって詳細に説明する。
【００１３】
図１は本発明の実施例を示すブロック図である。また、図４は本発明の実施例を示すフロー図である。
【００１４】
本発明の入出庫管理システムは、管理装置１とネットワーク１０を介して無線アンテナ６により無線接続される作業者用端末２により構成される。
【００１５】
管理装置１は倉庫に入出庫する物品の情報を入力する入力手段１１、「品番」「品名」「ロット番号」「数量」「収納位置」等の在庫情報を記憶する記憶手段１２、及び、後に説明する比較手段４を備えている。
【００１６】
倉庫から物品を出庫するときは、上記入力手段１１から出庫指示として「品番」「出庫数」を入力する（図４　Ｓ１）。管理装置１は入力手段１１からの入力をうけ、記憶手段１２に記憶されている在庫情報に基づいて出庫対象となる物品を特定し、図３に示すような引当テーブル３０を作成する（図４　Ｓ２）。このとき、出庫指示の「品番」に該当する物品が複数の「収納位置」にあるときは、「収納位置」の番号が一番小さい等の条件に基づき特定される。
【００１７】
上記引当テーブル３０は、少なくとも「予約番号」「品番」「ロット番号」「引当数量」「推奨ロケーション」「完了数量」の項目から構成されている。なお、「予約番号」は、複数入力された出庫指示を区別するのに用いるものである。
【００１８】
図３は、「品番」として「Ａ０００１」、「出庫数」として「９０」を入力したときに、図２の在庫情報である在庫テーブル２０から「収納位置」が「０３列」である物品が特定された様子を示している。なお、図２は、図５に示すように物品をパレットに搭載して配置した倉庫の在庫テーブルである。物品は各パレットに１０単位づつ搭載しており、「収納位置」が「０３列」である位置に４パレットが配置されていることを示している。また、倉庫内の物品は、列を１グループとして「収納位置」を設定し管理している。上記配置は、平置き倉庫またはラック倉庫に同一品種が大量に保管されているときに良く用いられる配置である。
【００１９】
上記引当テーブル３０の「品番」「ロット番号」は、管理装置１が特定した出庫対象物品に対応する「品番」「ロット番号」であり、「推奨ロケーション」は、管理装置１が特定した出庫対象物品に対応する「収納位置」である。また、「引当数量」は、上記出庫指示の「出庫数」であり、「完了数量」は、作業完了数が０であるので「０」である。
【００２０】
管理装置１は、作成した引当テーブル３０の「品番」「ロット番号」「出庫数」（物品情報）及び「推奨ロケーション」（位置情報）を、ネットワーク１０を通じて作業者用端末２に伝達し、表示手段５に各情報を表示する（図４　Ｓ３）。
【００２１】
表示手段５に表示された位置情報である「推奨ロケーション」の位置の物品を出庫できる場合には、上記の従来の技術と同様に以下の手順で作業を行えばよい。
【００２２】
作業者は作業者用端末２の表示手段５の表示に従い、「推奨ロケーション」が示す位置に移動し出庫作業を行う。物品を出庫する際に、作業者は、出庫作業を行う位置の位置情報を位置情報入力手段３から入力する（図４　Ｓ４）。例えば、倉庫内の各収納位置に位置情報が記録されているバーコードを設け、バーコードリーダで読み取ることで行えばよい。
【００２３】
上記位置情報入力手段３から入力された位置情報は、作業者用端末２で「推奨ロケーション」と比較される。「推奨ロケーション」の位置での出庫作業であるため、「推奨ロケーション」の位置情報と出庫作業位置の位置情報は合致する。合致した場合、管理装置１に出庫作業を開始することが伝達され、作業者用端末２の表示手段５には正常な作業である旨が表示される。作業者は、該表示を確認した後出庫作業を行う。また、各物品及びパレットにも、物品情報を記録したバーコードを設け、上記位置入力手段３であるバーコードリーダを用いて出庫する物品の物品情報を読み込み、管理装置１が特定した物品情報に一致していることを確認することで作業はより確実となる（図４　Ｓ５）。
【００２４】
出庫作業完了時に作業者は、作業者用端末２に設けられた作業完了ボタン２１を押すとともに実際に出庫した数量を、作業者用端末２に備えた入力手段２２により入力する（図４　Ｓ６）。このとき、管理装置１には作業終了と該出庫数が伝達され、管理装置１は引当テーブル３０の「完了数量」に該出庫数を加算し、「引当数量」から該出庫数を減算する。また、在庫テーブル２０の上記出庫位置情報に対応する「数量」から該出庫数を減算する（図４　Ｓ７）。
【００２５】
次に、表示手段５に表示された「推奨ロケーション」の位置以外にある同一物品を出庫する場合を説明する。
【００２６】
作業者は、出庫したい同一物品の収納位置に移動する。物品を出庫する際に、作業者は、出庫作業を行う位置の位置情報を位置情報入力手段３から入力する（図４　Ｓ４）。
【００２７】
上記位置情報入力手段３から入力された位置情報は、作業者用端末２で「推奨ロケーション」と比較される。「推奨ロケーション」以外の位置での出庫作業なので、「推奨ロケーション」の位置情報と出庫作業位置の位置情報は合致しない。合致しない場合、管理装置１に出庫作業位置の位置情報が伝達され、該位置情報に対応する物品情報（「品番」及び「ロット番号」）が在庫テーブル２０から読み出される。そして、管理装置１に備えている比較手段４において、該物品情報と引当テーブル３０の物品情報（管理装置１が特定した物品情報）を比較する（図４　Ｓ９）。例えば、図３の引当テーブル３０に対し、図２の在庫テーブル２０の「収納位置」が「０５列」である物品を出庫しようとした場合は、同一物品であるため物品情報は合致する。合致した場合、管理装置１は、作業者用端末２に正常な作業であることを伝達し、作業者用端末２の表示手段５には正常な作業である旨が表示される。作業者は、該表示を確認した後出庫作業を行う。このとき、各物品及びパレットにも、物品情報を記録したバーコードを設け、上記位置入力手段３であるバーコードリーダを用いて出庫する物品の物品情報を読み込み、管理装置１が特定した物品情報に一致していることを確認することで作業はより確実となる（図４　Ｓ５）。
【００２８】
出庫作業完了時に作業者は、作業者用端末２に設けた作業完了ボタン２１を押すとともに実際に出庫した数量を、作業者用端末２に備えた入力手段２２により入力する（図４　Ｓ６）。このとき、管理装置１には作業終了と該出庫数が伝達され、管理装置１は引当テーブル３０の「完了数量」に該出庫数を加算し、「引当数量」から該出庫数を減算する。また、在庫テーブル２０の上記出庫位置情報に対応する「数量」から該出庫数を減算する（図４　Ｓ７）。
【００２９】
上記の出庫作業は引当テーブル３０の「引当数量」が「０」となるまで繰り返し行われる（図４　Ｓ８）。なお、上記比較手段４での比較結果が不一致である場合、作業者用端末２に誤作業である旨が伝達され、表示手段５に表示されることは勿論である。
【００３０】
上記のように、本願発明の構成により、管理装置１が特定した物品の同一物品を作業者が任意の位置から出庫することができ、効率的な出庫作業を行うことができる。特に、倉庫内で列を１グループとして物品を管理し、同一物品が複数列にわたり配置されているときには、任意の列から物品を出庫することが可能となり、出庫作業を効率的に行うことができる。
【００３１】
【発明の効果】
以上のように、本発明によると、管理装置により在庫情報の管理及び入出庫対象の物品の特定を行うとともに作業者用端末の表示手段に該物品の物品情報及び位置情報を表示し、該表示に基づいて作業者が入出庫を行う入出庫管理システムにおいて、管理装置が特定した出庫対象物品を直ちに出庫することができない状態にあるときでも、作業者が任意の同一物品を出庫することができ、出庫作業を効率的に行うことができる。
【００３２】
特に、倉庫内で列を１グループとして物品を管理し、同一物品が複数列にわたり配置されているときには、任意の列から物品を出庫することが可能となり、出庫作業を効率的に行うことができる。
【図面の簡単な説明】
【図１】本発明の入出庫管理システムを示すブロック図である。
【図２】在庫テーブルの内容の説明図である。
【図３】引当テーブルの内容の説明図である。
【図４】出庫作業時のフロー図である。
【図５】倉庫内の物品配置例を示す上面図である。
【符号の説明】
１　管理装置
２　作業者用端末
３　位置情報入力手段
４　比較手段
５　表示手段
６　無線アンテナ
１０　ネットワーク
２０　在庫テーブル
３０　引当テーブル
【図１】
2004091148.tif 000003
【図２】
2004091148.tif 000004
【図３】
2004091148.tif 000005
【図４】
2004091148.tif 000006
【図５】
2004091148.tif 000007